(57)【要約】【課題】本発明は、移動局が基地局間を移動する際の通信品質を劣化させないことが可能な移動体通信システム、および当該移動体通信システムにおける基地局間同期制御方法を提供することを目的とする。【解決手段】本発明による移動体通信システムは、漏洩同軸ケーブル４を介して一列に接続された複数の基地局１と、隣接する基地局１間において当該各基地局１に漏洩同軸ケーブル４を介して接続され、隣接する基地局１間の同期状態を検出する終端機２と、終端機２が検出した同期状態に基づいて、隣接する基地局１のうちの上流側の基地局１を基準として下流側の基地局１の通信を同期する位相同期制御を行う同期制御装置３と、監視制御回線８を介して各基地局１と接続され、各基地局１が故障しているか否かを監視し、当該監視結果に基づいて故障した基地局１の直下流の基地局１を制御するシステム監視制御装置７とを備える。【選択図】図１
2019125895.tif 000002
【特許請求の範囲】
【請求項１】
漏洩同軸ケーブルを介して基地局と移動局との通信を行う移動体通信システムであって、
前記漏洩同軸ケーブルを介して一列に接続された複数の前記基地局と、
隣接する前記基地局間において当該各基地局に前記漏洩同軸ケーブルを介して接続され、隣接する前記基地局間の同期状態を検出する終端機と、
前記終端機が検出した前記同期状態に基づいて、隣接する前記基地局のうちの上流側の前記基地局を基準として下流側の前記基地局の通信を同期する位相同期制御を行う同期制御装置と、
監視制御回線を介して各前記基地局と接続され、各前記基地局が故障しているか否かを監視し、当該監視結果に基づいて故障した前記基地局の直下流の前記基地局を制御するシステム監視制御装置と、
を備える、移動体通信システム。
【請求項２】
前記システム監視制御装置は、一の前記基地局が故障している場合において、故障した前記基地局の直下流の前記基地局が位相自走で通信するように制御することを特徴とする、請求項１に記載の移動体通信システム。
【請求項３】
前記システム監視制御装置は、一の前記基地局が故障している場合において、故障した前記基地局の下流側の前記基地局を基準として通信を同期するように制御することを特徴とする、請求項１に記載の移動体通信システム。
【請求項４】
漏洩同軸ケーブルを介して基地局と移動局との通信を行う移動体通信システムにおける基地局間同期制御方法であって、
（ａ）前記漏洩同軸ケーブルを介して一列に接続された複数の前記基地局のうちの隣接する前記基地局間の同期状態を検出する工程と、
（ｂ）前記工程（ａ）で検出した前記同期状態に基づいて、隣接する前記基地局のうちの上流側の前記基地局を基準として下流側の前記基地局の通信を同期する制御を行う工程と、
（ｃ）各前記基地局が故障しているか否かを監視し、当該監視結果に基づいて故障した前記基地局の直下流の前記基地局を制御する工程と、
を備える、基地局間同期制御方法。
【請求項５】
前記工程（ｃ）は、一の前記基地局が故障している場合において、故障した前記基地局の直下流の前記基地局が位相自走で通信するように制御することを特徴とする、請求項４に記載の基地局間同期制御方法。
【請求項６】
前記工程（ｃ）は、一の前記基地局が故障している場合において、故障した前記基地局の下流側の前記基地局を基準として通信を同期するように制御することを特徴とする、請求項４に記載の基地局間同期制御方法。
【発明の詳細な説明】
【技術分野】
【０００１】
本発明は、漏洩同軸ケーブルを介して基地局と移動局との通信を行う移動体通信システム、および当該移動体通信システムにおける基地局間の通信の同期を制御する基地局間同期制御方法に関する。
【背景技術】
【０００２】
従来、漏洩同軸ケーブルを介して基地局と移動局との通信を行う移動体通信システム、および当該移動体通信システムにおいて基地局間の通信の同期を制御する技術が開示されている（例えば、特許文献１参照）。
【０００３】
特許文献１による移動体通信システムでは、漏洩同軸ケーブルを介して複数の基地局が一列に設けられており、上流側から下流側に向かって順に各基地局間のフレーム同期をとっている。なお、電波の有効活用のために、各基地局間の通信に用いられる周波数は同一となっている。
【０００４】
具体的には、隣接する基地局間に終端機を設け、当該終端機の上流側の基地局および下流側の基地局の各々と終端機とを漏洩同軸ケーブルで接続する。終端機は、漏洩同軸ケーブルを介して上流側の基地局および下流側の基地局の各々から信号を受信し、受信した各信号からフレーム同期信号を抽出する。そして、終端機は、抽出した各フレーム同期信号からフレーム同期の位相差である同期位相差を検出する。その後、終端機は、検出した同期位相差の情報を下流側の基地局に通知する。下流側の基地局では、終端機から通知された同期位相差の情報に基づいて、当該下流側の基地局自身が通信する際に用いるフレーム位相を位相差がなくなるように調整する。すなわち、下流側の基地局では、上流側の基地局で用いるフレーム位相を基準として、下流側の基地局で用いるフレーム位相を調整している。
【０００５】
隣接する基地局間におけるフレーム位相が同期していない場合、各基地局の通信エリアである基地局ゾーンの境界を移動局が通過する際に通信品質が劣化するという問題がある。一方、特許文献１による移動体通信システムでは、上記の動作を上流側の基地局から下流側の基地局に向かって終端機を介して順に行うことによって、移動体通信システム全体におけるフレーム位相の同期をとっている。このような動作によって、各基地局間におけるフレーム位相が同期するようになるため、移動局が基地局間を移動する際、特に移動局が各基地局ゾーンの境界を通過する際における通信品質の劣化を防ぐことができる。
【先行技術文献】
【特許文献】
【０００６】
【特許文献１】特開２０００−３０７５０３号公報
【発明の概要】
【発明が解決しようとする課題】
【０００７】
上述の通り、特許文献１による移動体通信システムでは、上流側の基地局におけるフレーム位相を基準として、下流側の基地局におけるフレーム位相を調整している。従って、一の基地局が故障するなどして当該基地局におけるフレーム位相が急変すると、故障した基地局の下流側に位置する基地局間におけるフレーム同期が外れてしまうことが考えられる。ここで、基地局間におけるフレーム同期が外れることをフレーム同期外れという。
【０００８】
このような状態のときに移動局が基地局間を通過すると、フレーム同期外れの影響を受けて通信品質が劣化するという問題がある。特許文献１では、基地局の故障によるフレーム同期外れについて考慮されていないため、移動局が基地局間を移動する際の通信品質の劣化を十分に防いでいるとはいえなかった。
【０００９】
本発明は、このような問題を解決するためになされたものであり、移動局が基地局間を移動する際の通信品質を劣化させないことが可能な移動体通信システム、および当該移動体通信システムにおける基地局間同期制御方法を提供することを目的とする。
【課題を解決するための手段】
【００１０】
上記の課題を解決するために、本発明による移動体通信システムは、漏洩同軸ケーブルを介して基地局と移動局との通信を行う移動体通信システムであって、漏洩同軸ケーブルを介して一列に接続された複数の基地局と、隣接する基地局間において当該各基地局に漏洩同軸ケーブルを介して接続され、隣接する基地局間の同期状態を検出する終端機と、終端機が検出した同期状態に基づいて、隣接する基地局のうちの上流側の基地局を基準として下流側の基地局の通信を同期する位相同期制御を行う同期制御装置と、監視制御回線を介して各基地局と接続され、各基地局が故障しているか否かを監視し、当該監視結果に基づいて故障した基地局の直下流の基地局を制御するシステム監視制御装置とを備える。
【００１１】
また、本発明による基地局間同期制御方法は、漏洩同軸ケーブルを介して基地局と移動局との通信を行う移動体通信システムにおける基地局間同期制御方法であって、（ａ）漏洩同軸ケーブルを介して一列に接続された複数の基地局のうちの隣接する基地局間の同期状態を検出する工程と、（ｂ）工程（ａ）で検出した同期状態に基づいて、隣接する基地局のうちの上流側の基地局を基準として下流側の基地局の通信を同期する制御を行う工程と、（ｃ）各基地局が故障しているか否かを監視し、当該監視結果に基づいて故障した基地局の直下流の基地局を制御する工程とを備える。
【発明の効果】
【００１２】
本発明によると、移動体通信システムは、漏洩同軸ケーブルを介して基地局と移動局との通信を行う移動体通信システムであって、漏洩同軸ケーブルを介して一列に接続された複数の基地局と、隣接する基地局間において当該各基地局に漏洩同軸ケーブルを介して接続され、隣接する基地局間の同期状態を検出する終端機と、終端機が検出した同期状態に基づいて、隣接する基地局のうちの上流側の基地局を基準として下流側の基地局の通信を同期する位相同期制御を行う同期制御装置と、監視制御回線を介して各基地局と接続され、各基地局が故障しているか否かを監視し、当該監視結果に基づいて故障した基地局の直下流の基地局を制御するシステム監視制御装置とを備えるため、移動局が基地局間を移動する際の通信品質を劣化させないことが可能となる。
【００１３】
また、基地局間同期制御方法は、漏洩同軸ケーブルを介して基地局と移動局との通信を行う移動体通信システムにおける基地局間同期制御方法であって、（ａ）漏洩同軸ケーブルを介して一列に接続された複数の基地局のうちの隣接する基地局間の同期状態を検出する工程と、（ｂ）工程（ａ）で検出した同期状態に基づいて、隣接する基地局のうちの上流側の基地局を基準として下流側の基地局の通信を同期する制御を行う工程と、（ｃ）各基地局が故障しているか否かを監視し、当該監視結果に基づいて故障した基地局の直下流の基地局を制御する工程とを備えるため、移動局が基地局間を移動する際の通信品質を劣化させないことが可能となる。
【図面の簡単な説明】
【００１４】
【図１】本発明の実施の形態１による移動体通信システムの構成の一例を示す図である。
【図２】本発明の実施の形態１による移動体通信システムにおいて基地局が故障したときの動作の一例を説明するための図である。
【図３】本発明の実施の形態２による移動体通信システムの構成の一例を示す図である。
【図４】本発明の実施の形態２による移動体通信システムにおいて基地局が故障したときの動作の一例を説明するための図である。
【発明を実施するための形態】
【００１５】
本発明の実施の形態について、図面に基づいて以下に説明する。
【００１６】
＜実施の形態１＞
＜構成＞
図１は、本発明の実施の形態１による移動体通信システムの構成の一例を示す図である。
【００１７】
図１に示すように、移動体通信システムは、基地局１ａ、基地局１ｂ、基地局１ｃ、および基地局１ｄを備えている。基地局ゾーンＡは、基地局１ａの通信エリアを示している。基地局ゾーンＢは、基地局１ｂの通信エリアを示している。基地局ゾーンＣは、基地局１ｃの通信エリアを示している。基地局ゾーンＤは、基地局１ｄの通信エリアを示している。図１において、基地局ゾーンＡは通信の上流側、基地局ゾーンＤは通信の下流側である。なお、基地局１ａ、基地局１ｂ、基地局１ｃ、および基地局１ｄを総称して単に基地局１ともいう。基地局１は、基地局１ａ〜１ｄ以外の図示しない基地局を含む。
【００１８】
基地局１ａと基地局１ｂとの間であって、基地局ゾーンＡと基地局ゾーンＢとの境界には終端機２ａが設けられている。終端機２ａは、基地局１ａにおけるフレーム位相と、基地局１ｂにおけるフレーム位相とを比較し、これらの同期状態を検出している。基地局１ｂと基地局１ｃとの間であって、基地局ゾーンＢと基地局ゾーンＣとの境界には終端機２ｂが設けられている。終端機２ｂは、基地局１ｂにおけるフレーム位相と、基地局１ｃにおけるフレーム位相とを比較し、これらの同期状態を検出している。基地局１ｃと基地局１ｄとの間であって、基地局ゾーンＣと基地局ゾーンＤとの境界には終端機２ｃが設けられている。終端機２ｃは、基地局１ｃにおけるフレーム位相と、基地局１ｄにおけるフレーム位相とを比較し、これらの同期状態を検出している。なお、終端機２ａ、終端機２ｂ、および終端機２ｃを総称して単に終端機２ともいう。終端機２は、終端機２ａ〜２ｃ以外の図示しない終端機を含む。
【００１９】
基地局１ａは、当該基地局１ａよりも上流側の直近に位置する終端機２と漏洩同軸ケーブル（Leaky coaxial cable：LCX）４ａで接続されている。基地局１ａと終端機２ａとは、漏洩同軸ケーブル４ｂで接続されている。終端機２ａと基地局１ｂとは、漏洩同軸ケーブル４ｃで接続されている。基地局１ｂと終端機２ｂとは、漏洩同軸ケーブル４ｄで接続されている。終端機２ｂと基地局１ｃとは、漏洩同軸ケーブル４ｅで接続されている。基地局１ｃと終端機２ｃとは、漏洩同軸ケーブル４ｆで接続されている。終端機２ｃと基地局１ｄとは、漏洩同軸ケーブル４ｇで接続されている。基地局１ｄは、当該基地局１ｄよりも下流側の直近に位置する終端機２と漏洩同軸ケーブル４ｈで接続されている。なお、漏洩同軸ケーブル４ａ、漏洩同軸ケーブル４ｂ、漏洩同軸ケーブル４ｃ、漏洩同軸ケーブル４ｄ、漏洩同軸ケーブル４ｅ、漏洩同軸ケーブル４ｆ、漏洩同軸ケーブル４ｇ、および漏洩同軸ケーブル４ｈを総称して単に漏洩同軸ケーブル４ともいう。漏洩同軸ケーブル４は、漏洩同軸ケーブル４ａ〜４ｈ以外の図示しない漏洩同軸ケーブルを含む。
【００２０】
同期制御装置３ａは、基地局１ａよりも上流側の直近に位置する終端機２が検出した同期状態を、同期制御回線５ａを介して受信する。そして、同期制御装置３ａは、受信した同期状態に基づいて、基地局１ａよりも上流側の直近に位置する基地局１におけるフレーム位相と同期するように、基地局１ａにおけるフレーム位相を制御する。すなわち、同期制御装置３ａは、隣接する上流側の基地局１を基準として基地局１ａにおけるフレーム位相を同期する位相同期制御を行う。また、同期制御装置３ａは、基地局１ａよりも上流側の直近に位置する基地局１におけるフレーム位相と同期せずに、基地局１ａにおけるフレーム位相を制御することもできる。
【００２１】
同期制御装置３ｂは、終端機２ａが検出した同期状態を、同期制御回線５ｂを介して受信する。そして、同期制御装置３ｂは、受信した同期状態に基づいて、基地局１ａにおけるフレーム位相と同期するように、基地局１ｂにおけるフレーム位相を制御する。また、同期制御装置３ｂは、基地局１ａにおけるフレーム位相と同期せずに、基地局１ｂにおけるフレーム位相を制御することもできる。
【００２２】
同期制御装置３ｃは、終端機２ｂが検出した同期状態を、同期制御回線５ｃを介して受信する。そして、同期制御装置３ｃは、受信した同期状態に基づいて、基地局１ｂにおけるフレーム位相と同期するように、基地局１ｃにおけるフレーム位相を制御する。また、同期制御装置３ｃは、基地局１ｂにおけるフレーム位相と同期せずに、基地局１ｃにおけるフレーム位相を制御することもできる。
【００２３】
同期制御装置３ｄは、終端機２ｃが検出した同期状態を、同期制御回線５ｄを介して受信する。そして、同期制御装置３ｄは、受信した同期状態に基づいて、基地局１ｃにおけるフレーム位相と同期するように、基地局１ｄにおけるフレーム位相を制御する。また、同期制御装置３ｄは、基地局１ｃにおけるフレーム位相と同期せずに、基地局１ｄにおけるフレーム位相を制御することもできる。
【００２４】
なお、同期制御装置３ａ、同期制御装置３ｂ、同期制御装置３ｃ、および同期制御装置３ｄを総称して単に同期制御装置３ともいう。同期制御装置３は、同期制御装置３ａ〜３ｄ以外の図示しない同期制御装置を含む。
【００２５】
また、同期制御回線５ａ、同期制御回線５ｂ、同期制御回線５ｃ、および同期制御回線５ｄを総称して単に同期制御回線５ともいう。同期制御回線５は、同期制御回線５ａ〜５ｄ以外の図示しない同期制御回線を含む。
【００２６】
上記のように、上流側の直近に位置する基地局１におけるフレーム位相と同期する制御を行うことを上流側フレーム位相同期という。また、上流側の直近に位置する基地局１におけるフレーム位相と同期せずに、独自にフレーム位相を制御することをフレーム位相自走という。同期制御装置３は、後述するシステム監視制御装置７からの指示に基づいて、上流側フレーム位相同期またはフレーム位相自走のいずれかを行う。
【００２７】
移動局６は、基地局１の上流側から下流側に向かって走行する。漏洩同軸ケーブル４は、その放射特性を利用され伝送媒体として使用されている。この漏洩同軸ケーブル４から放射された電界中を移動局６が走行することによって、基地局１と移動局６との通信が可能となる。
【００２８】
システム監視制御装置７は、基地局１ａと監視制御回線８ａで接続され、基地局１ｂと監視制御回線８ｂで接続され、基地局１ｃと監視制御回線８ｃで接続され、基地局１ｄと監視制御回線８ｄで接続されている。なお、監視制御回線８ａ、監視制御回線８ｂ、監視制御回線８ｃ、および監視制御回線８ｄを総称して単に監視制御回線８ともいう。システム監視制御装置７は、基地局１が故障した場合、当該故障した旨を基地局１から監視制御回線８を介して受信する。すなわち、システム監視制御装置７は、各基地局１が故障しているか否かを監視しており、各基地局１の故障を一元管理している。ここで、基地局１が故障するとは、基地局１において正常な通信ができない状態になることをいい、基地局１におけるフレーム位相が異常値になった状態のことをいう。
【００２９】
なお、監視制御回線８ａ、監視制御回線８ｂ、監視制御回線８ｃ、および監視制御回線８ｄを総称して単に監視制御回線８ともいう。監視制御回線８は、監視制御回線８ａ〜８ｄ以外の図示しない監視制御回線を含む。
【００３０】
また、システム監視制御装置７は、各基地局１が故障しているか否かに基づいて、上流側フレーム位相同期またはフレーム位相自走のいずれを行うのかを同期制御装置３に指示する。すなわち、システム監視制御装置７は、監視結果に基づいて同期制御装置３を制御する。
【００３１】
＜動作＞
本実施の形態１による移動体通信システムの動作について説明する。以下では、基地局１が故障していないときの動作と、基地局１が故障したときの動作とについて説明する。
【００３２】
＜基地局１が故障していないときの動作＞
ここでは、基地局１ｃにおけるフレーム位相を制御する動作を一例として説明する。なお、他の基地局１についても同様の動作を行う。
【００３３】
終端機２ｂは、基地局１ｂから漏洩同軸ケーブル４ｄを介して受信した信号のフレーム位相と、基地局１ｃから漏洩同軸ケーブル４ｅを介して受信した信号のフレーム位相とを比較し、各フレーム位相の位相差、すなわち同期状態を検出する。その後、終端機２ｂは、検出した位相差の情報を、同期制御回線５ｃを介して同期制御装置３ｃに送信する。
【００３４】
同期制御装置３ｃは、終端機２ｂから受信した位相差の情報に基づいて、基地局１ｂにおけるフレーム位相と同期するように、基地局１ｃにおけるフレーム位相を制御する。
【００３５】
このように、基地局１が故障していないとき、同期制御装置３は基地局１に対して上流側フレーム位相同期を行う。すなわち、各基地局１におけるフレーム位相は、最上流に位置する基地局１におけるフレーム位相と同期する。
【００３６】
＜基地局１が故障したときの動作＞
ここでは、基地局１ｂが故障したときの動作について、図２を用いて説明する。なお、他の基地局１が故障したときについても同様である。
【００３７】
図２の（Ｉ）に示すように基地局１ｂが故障して基地局１ｂにおけるフレーム位相が異常値になると、図２の（ＩＩ）に示すように監視制御回線８ｂを介して、故障した旨の情報が基地局１ｂからシステム監視制御装置７に通知される。システム監視制御装置７は、基地局１ｂから故障した旨の通知を受け取ると、図２の（ＩＩＩ）に示すように監視制御回線８ｃおよび基地局１ｃを介して、同期制御装置３ｃにフレーム位相自走を行うよう指示する。すなわち、システム監視制御装置７は、基地局１ｂが故障している場合において、故障した基地局１ｂの下流側の直近に位置する基地局１ｃが位相自走で通信するように制御する。
【００３８】
同期制御装置３ｃは、図２の（ＩＶ）に示すように、基地局１ｃに対してフレーム位相自走の制御を行う。具体的には、終端機２ｂから受信した位相差の情報を用いずに、基地局１ｂが故障する前の基地局１ｃにおけるフレーム位相で通信を行うように基地局１ｃを制御する。また、基地局１ｃよりも下流側に位置する基地局１では、上記で説明した「基地局１が故障していないときの動作」に従って動作する。これにより、図２の（Ｖ）に示すように、故障した基地局１ｂよりも下流側に位置する基地局１におけるフレーム位相は正常に保たれる。すなわち、故障した基地局１ｂよりも下流側に位置する基地局１間におけるフレーム同期は正常に保たれる。
【００３９】
また、基地局１ｂが故障から復旧すると、監視制御回線８ｂを介して、復旧した旨の情報が基地局１ｂからシステム監視制御装置７に通知される。システム監視制御装置７は、基地局１ｂから復旧した旨の通知を受け取ると、監視制御回線８ｃおよび基地局１ｃを介して、同期制御装置３ｃに上流側フレーム位相同期を行うよう指示する。以後、同期制御装置３ｃは、上記で説明した「基地局１が故障していないときの動作」に従って動作する。
【００４０】
一方、特許文献１に代表される従来の移動体通信システムでは、本実施の形態１によるシステム監視制御装置７を備えていないため、次のような問題が生じる。例えば図２に示すように基地局１ｂが故障してフレーム位相が異常値になると、当該異常値のフレーム位相が漏洩同軸ケーブル４ｄを介して終端機２ｂに送信される。終端機２ｂは、基地局１ｂから受信した異常値のフレーム位相と、基地局１ｃから受信したフレーム位相とを比較し、各フレーム位相の位相差、すなわち同期状態を検出する。その後、終端機２ｂは、検出した位相差の情報を、同期制御回線５ｃを介して同期制御装置３ｃに送信する。同期制御装置３ｃは、終端機２ｂから受信した位相差の情報に基づいて、基地局１ｂにおける異常値のフレーム位相と同期するように、基地局１ｃにおけるフレーム位相を制御する。従って、故障した基地局１よりも下流側に位置する基地局１におけるフレーム位相は異常値となる。すなわち、故障した基地局１よりも下流側に位置する基地局１間においてフレーム同期外れが生じてしまう。
【００４１】
以上のことから、本実施の形態１によれば、システム監視制御装置７が各基地局１の故障を一元管理し、各基地局１が故障しているか否かに基づいて、上流側フレーム位相同期またはフレーム位相自走のいずれを行うのかを同期制御装置３に指示する。従って、基地局１が故障したときのフレーム同期外れの影響範囲を最小限にすることができるため、移動局６が基地局１間、特に基地局ゾーンの境界を通過する際の通信品質を劣化させないことが可能となる。
【００４２】
＜実施の形態２＞
＜構成＞
図３は、本発明の実施の形態２による移動体通信システムの構成の一例を示す図である。
【００４３】
実施の形態１では、図１に示すように、同期制御装置３と当該同期制御装置３の上流側に位置する終端機２とを同期制御回線５で接続する構成について説明した。本実施の形態２では、同期制御装置３と当該同期制御装置３の上流側に位置する終端機２とを上流側同期制御回線９ａ〜９ｄで接続し、同期制御装置３と当該同期制御装置３の下流側に位置する終端機２とを下流側同期制御回線１０ａ〜１０ｄで接続する構成について説明する。
【００４４】
なお、図３において、上流側同期制御回線９ａ〜９ｄを総称して単に上流側同期制御回線９ともいう。上流側同期制御回線９は、上流側同期制御回線９ａ〜９ｄ以外の図示しない上流側同期制御回線を含む。上流側同期制御回線９は、図１に示す同期制御回線５に対応している。
【００４５】
また、下流側同期制御回線１０ａ〜１０ｄを総称して単に下流側同期制御回線１０ともいう。下流側同期制御回線１０は、下流側同期制御回線１０ａ〜１０ｄ以外の図示しない下流側同期制御回線を含む。
【００４６】
同期制御装置３は、当該同期制御装置３よりも上流側の直近に位置する終端機２が検出した同期状態を、上流側同期制御回線９を介して受信する。また、同期制御装置３は、当該同期制御装置３よりも下流側の直近に位置する終端機２が検出した同期状態を、下流側同期制御回線１０を介して受信する。
【００４７】
そして、同期制御装置３は、システム監視制御装置７の指示に従って、当該同期制御装置３の制御対象である基地局１よりも上流側の直近に位置する基地局１におけるフレーム位相と同期する、すなわち上流側フレーム位相同期するように、当該同期制御装置３の制御対象である基地局１におけるフレーム位相を制御する。
【００４８】
あるいは、同期制御装置３は、システム監視制御装置７の指示に従って、当該同期制御装置３の制御対象である基地局１よりも下流側の直近に位置する基地局１におけるフレーム位相と同期するように、当該同期制御装置３の制御対象である基地局１におけるフレーム位相を制御する。ここで、下流側の直近に位置する基地局１におけるフレーム位相と同期する制御を行うことを下流側フレーム位相同期という。
【００４９】
システム監視制御装置７は、実施の形態１と同様、各基地局１が故障しているか否かを監視しており、各基地局１の故障を一元管理している。また、システム監視制御装置７は、各基地局１が故障しているか否かに基づいて、上流側フレーム位相同期または下流側フレーム位相同期のいずれを行うのかを同期制御装置３に指示する。すなわち、システム監視制御装置７は、監視結果に基づいて同期制御装置３を制御する。
【００５０】
その他の構成については、実施の形態１と同様であるため、ここでは詳細な説明を省略する。
【００５１】
＜動作＞
本実施の形態２による移動体通信システムの動作について説明する。以下では、基地局１が故障したときの動作について説明する。なお、基地局１が故障していないときの動作については、実施の形態１と同様であるため説明を省略する。
【００５２】
＜基地局１が故障したときの動作＞
ここでは、基地局１ｂが故障したときの動作について、図４を用いて説明する。なお、他の基地局１が故障したときについても同様である。
【００５３】
図４の（Ｉ）に示すように基地局１ｂが故障して基地局１ｂにおけるフレーム位相が異常値になると、図４の（ＩＩ）に示すように監視制御回線８ｂを介して、故障した旨の情報が基地局１ｂからシステム監視制御装置７に通知される。システム監視制御装置７は、基地局１ｂから故障した旨の通知を受け取ると、図４の（ＩＩＩ）に示すように監視制御回線８ｃおよび基地局１ｃを介して同期制御装置３ｃに下流側フレーム位相同期を行うよう指示し、監視制御回線８ｄおよび基地局１ｄを介して同期制御装置３ｄに下流側フレーム位相同期を行うよう指示する。すなわち、システム監視制御装置７は、故障した基地局１ｂよりも下流側に位置する全ての基地局１を制御する同期制御装置３に対して、下流側フレーム位相同期を行うように指示する。
【００５４】
同期制御装置３ｃは、図４の（ＩＶ）に示すように、基地局１ｃに対して下流側フレーム位相同期の制御を行う。具体的には、終端機２ｂから上流側同期制御回線９ｃを介して受信した位相差の情報を用いずに、終端機２ｃから下流側同期制御回線１０ｃを介して受信した位相差の情報に基づいて、基地局１ｄにおけるフレーム位相と同期するように、基地局１ｃにおけるフレーム位相を制御する。同期制御装置３ｄについても同様である。
【００５５】
これにより、図４の（Ｖ）に示すように、故障した基地局１ｂよりも下流側に位置する基地局１におけるフレーム位相は正常に保たれる。具体的には、故障した基地局１ｂよりも下流側に位置する基地局１におけるフレーム位相は、最下流に位置する基地局１におけるフレーム位相と同期する。すなわち、故障した基地局１ｂよりも下流側に位置する基地局１間におけるフレーム同期は正常に保たれる。
【００５６】
また、基地局１ｂの故障が復旧すると、監視制御回線８ｂを介して、復旧した旨の情報が基地局１ｂからシステム監視制御装置７に通知される。システム監視制御装置７は、基地局１ｂから復旧した旨の通知を受け取ると、故障した基地局１ｂよりも下流側に位置する全ての基地局１を制御する同期制御装置３に対して、上流側フレーム位相同期を行うように指示する。以後、各同期制御装置３は、実施の形態１で説明した「基地局１が故障していないときの動作」に従って動作する。
【００５７】
以上のことから、本実施の形態２によれば、システム監視制御装置７が各基地局１の故障を一元管理し、各基地局１が故障しているか否かに基づいて、上流側フレーム位相同期または下流側フレーム位相同期のいずれを行うのかを同期制御装置３に指示する。従って、基地局１が故障したときのフレーム同期外れの影響範囲を最小限にすることができるため、移動局６が基地局１間、特に基地局ゾーンの境界を通過する際の通信品質を劣化させないことが可能となる。
【００５８】
なお、本発明は、その発明の範囲内において、各実施の形態を自由に組み合わせたり、各実施の形態を適宜、変形、省略することが可能である。
【符号の説明】
【００５９】
１  基地局、２  終端機、３  同期制御装置、４  漏洩同軸ケーブル、５  同期制御回線、６  移動局、７  システム監視制御装置、８  監視制御回線、９  上流側同期制御回線、１０  下流側同期制御回線。
【図１】
2019125895.tif 000003
【図２】
2019125895.tif 000004
【図３】
2019125895.tif 000005
【図４】
2019125895.tif 000006